(57)【要約】【課題】室内を簡単に保温できるレースカーテン用のアタッチメント及びレースカーテンを提供すること。【解決手段】布地又はシート地で形成されたレースカーテン用のアタッチメント３０であって、レースカーテン１０よりも室内側で、レースカーテン１０の少なくとも上部が露出される高さに設置されるものであり、布地又はシート地は、レースカーテン１０よりも通気性が低い素材であること。【選択図】図１
0003203377.tif 000002
【実用新案登録請求の範囲】
【請求項１】
布地又はシート地で形成されたレースカーテン用のアタッチメントであって、
前記レースカーテンよりも室内側で、前記レースカーテンの少なくとも上部が露出される高さに設置されるものであり、
前記布地又はシート地は、前記レースカーテンよりも通気性が低い素材である
ことを特徴とするアタッチメント。
【請求項２】
前記アタッチメントは、設置具を備える
ことを特徴とする請求項１に記載のアタッチメント。
【請求項３】
前記設置具は、前記レースカーテンの被係止具に係止される
ことを特徴とする請求項２に記載のアタッチメント。
【請求項４】
請求項３に記載のアタッチメントが設置されるレースカーテンであって、
表面又は裏面に被係止具を備えており、
前記被係止具は、前記アタッチメントの前記設置具が係止される
ことを特徴とするレースカーテン。
【考案の詳細な説明】
【技術分野】
【０００１】
本考案は、レースカーテン用のアタッチメント及びレースカーテンに関する。
【背景技術】
【０００２】
従来、住宅などの居室には、遮景、遮光、断熱（保温）、防音など室内の生活環境を改善する目的で、カーテンが取付けられている。カーテンには、レースカーテン及び厚地のドレープカーテンが二重に設置されるものもある（例えば、特許文献１を参照。）。
【先行技術文献】
【特許文献】
【０００３】
【特許文献１】特開２０００−１３９６８１号公報
【考案の概要】
【考案が解決しようとする課題】
【０００４】
ところで、冬場など室内を暖房すると、暖気がレースカーテンを容易に通過し、ガラス窓により冷やされ、下方に溜まるため、暖房効率が悪く、また結露を生じることがあった。そこで、室内の保温のため、厚地のドレープカーテンは、閉じられて使用されていた。
【０００５】
しかしながら、ドレープカーテンが閉じられると、昼間であっても陽射しが遮られ、室内が暗くなる。そのため、照明を使用しなければならない。それゆえ、暖房効率を上げ、暖房の設定温度を低くして、電気などの光熱費を節約しようとしても、照明を使用する分だけ、光熱費を節約することができなかった。
【０００６】
そこで、本考案は、室内を簡単に保温できるレースカーテン用アタッチメント及びレースカーテンを提供することを目的とする。
【課題を解決するための手段】
【０００７】
（１）本考案に係る一つの態様は、布地又はシート地で形成されたレースカーテン用のアタッチメントであって、前記レースカーテンよりも室内側で、前記レースカーテンの少なくとも上部が露出される高さに設置されるものであり、前記布地又はシート地は、前記レースカーテンよりも通気性が低い素材である。
【０００８】
（２）上記（１）の態様において、前記アタッチメントは、設置具を備えてもよい。
【０００９】
（３）上記（２）の態様において、前記設置具は、前記レースカーテンの被係止具に係止されてもよい。
【００１０】
（４）本考案に係る一つの態様は、上記（３）に記載のアタッチメントが設置されるレースカーテンであって、表面又は裏面に被係止具を備えており、前記被係止具は、前記アタッチメントの前記設置具が係止されてもよい。
【考案の効果】
【００１１】
本考案によれば、室内を簡単に保温できるレースカーテン用のアタッチメント及びレースカーテンを提供することができる。
【図面の簡単な説明】
【００１２】
【図１】本考案の実施形態に係るアタッチメントの使用状況の説明図である。
【図２】本考案の実施形態に係るアタッチメントの正面図である。
【考案を実施するための形態】
【００１３】
以下、本考案の一実施形態について、図面を参照しながら詳細に説明する。なお、実施形態の説明の全体を通じて同じ要素には同じ符号を付して説明する。
【００１４】
図１は、本考案の実施形態に係るアタッチメントの使用状況の説明図であり、図２は、本考案の実施形態に係るアタッチメントの正面図である。図１に示されるレースカーテン用のアタッチメント３０は、掃出し窓用のガラス窓に設けられたレースカーテン１０に設置されるものである。ガラス窓には、レースカーテン１０以外にドレープカーテン２０が設けられていてもよい。
【００１５】
アタッチメント３０は、レースカーテン１０よりも室内側で、レースカーテン１０の少なくとも上部が露出される高さに設置されるものであって、例えば、アタッチメント３０の上端部は、床から３０ｃｍから１００ｃｍ程度、好ましくは４０ｃｍから５５ｃｍの高さになるように設置される。このような範囲とした理由は、上端部の位置が高過ぎると、あまり採光できず室内が暗くなくなるし、低過ぎると、保温効果がなくなるためである。
【００１６】
また、アタッチメント３０は、床側の端部で、床面との間に隙間を形成しないように、床面に接触する長さに形成されている。さらに、アタッチメント３０は、設置するレースカーテン１０の左右幅と同じか、広く形成されていてもよい。
【００１７】
しかしながら、レースカーテン１０やドレープカーテン２０が、採光又は遮光するために開閉されることも考慮し、アタッチメント３０の各寸法は設計されなければならない。
【００１８】
そして、アタッチメント３０は、布地又はシート地で形成されている。布地又はシート地は、レースカーテン１０とは異なるものであり、レースカーテン１０よりも通気性が低い素材である。
【００１９】
布地としては、織物、編物、不織布などが挙げられ、厚地のドレープカーテン２０と同じ生地であってもよいし、毛布のように起毛処理された生地であってもよいが、薄くて通気性の低いものがよい。さらに、布地が、遠赤外線加工されていてもよい。
【００２０】
一方、シート地としては、発泡ポリエチレンにアルミニウムを蒸着又は貼付したシートや、エアクッションシート、ダンボールシートなどの断熱・保温シート、プラスチックシート、厚紙、コルクボードなどが挙げられる。
【００２１】
また、アタッチメント３０は、布地の表面又は裏面あるいは内部に、シート地を備えてもよい。アタッチメント３０は、シート地を布地の全面に備えてもよいし、レースカーテン１０の左右両端よりも、外側の左右端部付近のみに備えてもよいし、床側（下方端部）付近のみに備えてもよい。
【００２２】
さらに、図１及び２に示されるように、アタッチメント３０は、設置具３１を上端部側及び床側に備えている。他方、アタッチメント３０が設置されるレースカーテン１０は、設置具３１が係止される被係止具１１を表面（室内側）に備えている。そして、設置具３１と被係止具１１とは、面ファスナにより係止される。
【００２３】
詳しくは、設置具３１が、フック側の面ファスナを備え、被係止具１１がループ側の面ファスナを備えている。逆にすると、アタッチメント３０をレースカーテン１０から取外したときに、レースカーテン１０の面ファスナのフックに、レースカーテン１０自体が絡まったり、衣服などが引っ掛かることがある。
【００２４】
以上、本考案の実施形態によれば、布地又はシート地で形成された窓用のアタッチメントであって、レースカーテンよりも室内側で、レースカーテンの少なくとも上部が露出される高さに設置されるものであり、布地又はシート地は、レースカーテンよりも通気性が低い素材である。これにより、暖気が上方のレースカーテンを通過し、ガラス窓により冷やされても、ガラス窓の下方から室内側に向かう空気（冷気）の流れが遮断される。
【００２５】
そのため、レースカーテンしかない掃出し窓であっても、本実施形態のアタッチメントをレースカーテンに設置するだけで、室内を簡単に保温できる。また、二重カーテンの場合でも、ドレープカーテンを閉じることなく、室内を簡単に保温できる。
【００２６】
さらに、昼間であれば、上方のレースカーテンから陽射しを採り入れることができるため、照明が点灯されなくてもよく、光熱費を節約することができる。
【００２７】
また、アタッチメントは、床面に接触しているため、窓ガラスの下方端から室内側へ向かう空気の流れも遮断される。さらに、アタッチメントは、レースカーテンよりも左右幅が広いため、窓ガラスとレースカーテンとの間に形成される左右の隙間から室内側へ回りこむ、空気の流れも遮断することができる。
【００２８】
本実施形態のアタッチメント３０をレースカーテン１０に設置したことによる保温（防寒）効果を確認するために、以下の手順で実験を行った。
【００２９】
８畳間において、外気温５．０℃のときに、掃出し窓用のレースカーテン１０のみを閉じた状態とし、暖房器具の設定温度を１８℃に設定して、その後３０分間放置した。その時、レースカーテン１０から前方１０ｃｍの床上の室内温度は、１５．７℃であった。
【００３０】
次に、本実施形態のアタッチメント３０を、レースカーテン１０に設置して、その後３０分間放置した。その時、アタッチメント３０から前方１０ｃｍの床上の室内温度は、１７．１℃であった。外気温は、５．０℃のままであった。
【００３１】
さらに、レースカーテン１０からアタッチメント３０を取除き、その後３０分間放置した。その時、レースカーテン１０から前方１０ｃｍの床上の室内温度は、１５．６℃であった。外気温は、５．０℃のままであった。
【００３２】
また、同様の実験を外気温が７．０℃のときに行ったが、アタッチメント３０を設置したときの室内温度は、１７．０℃であり、レースカーテン１０のみのときの室内温度は、１５．５℃であった。
【００３３】
これにより、本実施形態のアタッチメント３０を設置するだけで、室内温度が約１．５℃上昇したことになり、室内の保温効果に優れることがわかった。これにより、暖房の設定温度を１℃下げても、今までと同じような室内温度を維持できるから、光熱費を節約することができる。
【００３４】
（変形例）
上記実施形態では、アタッチメント３０をレースカーテン１０に設置する設置具３１及び被係止具１１は、アタッチメント３０の上端部側及び床側を係止するように備えられたが、アタッチメント３０の上端部側のみを係止するように備えられてもよいし、左右端部に備えられてもよい。さらには、被係止具１１は、レースカーテン１０の裏面（室外側）に備えられ、アタッチメント３０を表面から裏面に回り込むように設置してもよい。
【００３５】
上記実施形態では、アタッチメント３０をレースカーテン１０に設置する設置具３１及び被係止具１１は、面ファスナとされたが、スライドファスナでもよい。さらに、設置具３１は、連続的でなく、間欠的に備えられてもよく、ボタン・ホック留めなどであってもよい。
【００３６】
また、設置具３１としては、フック、クリップ、安全ピンなどのピン留め、両面粘着テープなども挙げられる。これらは、レースカーテン１０に被係止具１１を備える必要がなく、アタッチメント３０をレースカーテン１０に直接設置することができる。
【００３７】
さらに、設置具３１は、自立する衝立のように形成されて、アタッチメント３０が掛けられたり、また、カーテンポール、カーテンレールやランナーから吊下げられる紐状のように形成されて、アタッチメント３０が吊下げられてもよい。これらも、レースカーテン１０に被係止具１１を備える必要がなく、さらに、レースカーテン１０をアタッチメント３０の重みで傷めたり、型崩れさせたり、汚したりすることもない。
【００３８】
上記実施形態では、右側のドレープカーテン２０が閉じられた状態であったが、左側のドレープカーテン２０が閉じられ、右側のドレープカーテン２０が開かれていてもよい。あるいは、両側のドレープカーテン２０が開かれていてもよく、その場合、アタッチメント３０は、両側のレースカーテン１０に設置される。
【００３９】
上記実施形態では、アタッチメント３０は、窓の下枠が室内の床の高さと差がない掃出し窓用のレースカーテン１０に設置されるものであったが、窓の下枠が床から所定高さの位置にある腰窓用のレースカーテン１０に設置されてもよい。
【００４０】
以上、本考案の好ましい実施形態について詳述したが、本考案は上述した実施形態に限定されるものではなく、実用新案登録請求の範囲に記載された本考案の要旨の範囲内において、種々の変形、変更が可能である。
【符号の説明】
【００４１】
１０      レースカーテン
１１      被係止具
２０      ドレープカーテン
３０      アタッチメント
３１      設置具
【図１】
0003203377.tif 000003
【図２】
0003203377.tif 000004